(57)【要約】【課題】温水器用コンクリート基礎板の現場施工の簡易化、施工時間の短縮化を図る。【解決手段】１枚のプレハブコンクリートブロックからなる底板の上に、３分割されて互いに突合せ接合される第１，２，３プレハブコンクリートブロック５，６，７を重ね合わせる。第１プレハブコンクリートブロック５の、第２，３プレハブコンクリートブロック６，７と突合せ接合する第１，２突合せ接合面１５，１６は上向き傾斜面に形成する。第２プレハブコンクリートブロック６の第１突合せ接合面１５と突合せ接合する第３の突合せ接合面２２は下向き傾斜面に、第３プレハブコンクリートブロック７と突合せ接合する第４突合せ接合面２４は上向き傾斜面にそれぞれ形成する。第３プレハブコンクリートブロック７の、第２，４突合せ接合面１６，２４とそれぞれ突合せ接合する第５，６突合せ接合面２９，３０は下向き傾斜面に形成する。【選択図】図１
0003132880.tif 000002
【実用新案登録請求の範囲】
【請求項１】
１枚のプレハブコンクリートブロックからなる底板の上に、３分割されて互いに突合せ接合される第１，２，３のプレハブコンクリートブロックからなる上板を重ね合わせ、前記第１，２，３の各プレハブコンクリートブロックを前記底板にボルトで連結してなり、
前記底板と上板の中央部に円形開口部を設けており、
前記第１のプレハブコンクリートブロックの、第２，３の各プレハブコンクリートブロックと突合せ接合する第１，２の突合せ接合面は第１のプレハブコンクリートブロックの底面と成す角度を鋭角とする上向き傾斜面に形成し、第２のプレハブコンクリートブロックの前記第１の突合せ接合面と突合せ接合する第３の突合せ接合面は、第２のプレハブコンクリートブロックの底面と成す角度を鈍角とする下向き傾斜面に、第３のプレハブコンクリートブロックと突合せ接合する第４の突合せ接合面は、第２のプレハブコンクリートブロックの底面と成す角度を鋭角とする下向き傾斜面にそれぞれ形成し、第３のプレハブコンクリートブロックの、前記第２の突合せ接合面および前記第４の突合せ接合面とそれぞれ突合せ接合する第５，６の突合せ接合面は、第３のプレハブコンクリートブロックの底面と成す角度を鈍角とする下向き傾斜面に形成していることを特徴とする、温水器用コンクリート基礎板。
【請求項２】
前記第１のプレハブコンクリートブロックに、前記円形開口部の円周一部を構成する円弧形切欠部を形成し、該円弧形切欠部を劣弧に形成し、前記第２のプレハブコンクリートブロックに前記円形開口部の円周一部を構成する円弧形切欠部を形成すると共に、前記第３のプレハブコンクリートブロックに前記円形開口部の円周一部を構成する円弧形切欠部を形成し、それら第２のプレハブコンクリートブロックの円弧形切欠部と第３のプレハブコンクリートブロックの円弧形切欠部とを合わせた円弧形切欠部を優弧に形成している、請求項１記載の温水器用コンクリート基礎板。
【請求項３】
前記上板の板厚を前記底板の板厚よりも厚く形成している、請求項１又は２記載の温水器用コンクリート基礎板。
【考案の詳細な説明】
【技術分野】
【０００１】
本考案は、電気温水器、ガス温水器等を載置する温水器用コンクリート基礎板に関する。
【背景技術】
【０００２】
従来、温水器設置において基礎コンクリートを現場打ちしていたが、これでは工事期間が長くかかる等の難点がある。この点を改善するために温水器の基礎・据付工事をプレハブ工法化し、工事期間の短縮化、工事労力の軽減を図り得るようにした温水器用プレハブコンクリート基礎板が提案されている（例えば、特許文献１参照。）。この温水器用プレハブコンクリート基礎板は、図３４に示すように、２分割された左ブロック５０ａと右ブロック５０ｂとからなる上部プレハブブロック５０と、２分割された前ブロック５１ａと後ブロック５１ｂからなる下部プレハブブロック５１を互いの接合面５０ｃ，５１ｃが直交する方向に積み重ね、上下部のプレハブブロック５０，５１をボルト５２で接合一体化してなるものである。
【０００３】
【特許文献１】特許第３０７９４２２号（特開平１１−５０４７０号）公報
【考案の開示】
【考案が解決しようとする課題】
【０００４】
しかしながら、上記温水器用コンクリート基礎板では、上下部のプレハブブロック５０，５１の各接合面５０ａ，５１ａが垂直面に形成されており、各接合面５０ａ，５１ａ同士間には各接合面５０ａ，５１ａの凹凸により隙間が生じやすくて各プレハブブロック５０、５１相互の密着性を欠くため、全体の直角度を出し難い。また、各プレハブブロック５０，５１は重いため、各プレハブブロック５０，５１には取付孔５３を設けてこれに運搬用吊環（図示せず）を着脱可能に取付けて運搬移送し、所定位置に配置した後、前記吊環を取り外すものとしているが、これでは、基礎コンクリートの現場打ちほど工期が長引くことはないが、現場施工に多くの手数と時間がかかってしまうという問題がある。
【０００５】
本考案は、このような問題を解決するためになされたものであり、現場施工の簡易化、施工時間の短縮化を図れる温水器用コンクリート基礎板を提供することを目的とする。
【課題を解決するための手段】
【０００６】
本考案は、請求項１に記載のように、その考案の内容を理解し易くするために図１〜図３０に付した符号を参照して説明すると、１枚のプレハブコンクリートブロック４からなる底板２の上に、３分割されて互いに突合せ接合される第１，２，３のプレハブコンクリートブロック５，６，７からなる上板３を重ね合わせ、第１，２，３の各プレハブコンクリートブロック５，６，７を底板２にボルト８で連結してなり、底板２と上板３の中央部に円形開口部１０，３４を設けており、第１のプレハブコンクリートブロック５の、第２，３の各プレハブコンクリートブロック６，７と突合せ接合する第１，２の突合せ接合面１５，１６は第１のプレハブコンクリートブロック５の底面１７と成す角度を鋭角とする上向き傾斜面に形成し、第２のプレハブコンクリートブロック６の第１の突合せ接合面１５と突合せ接合する第３の突合せ接合面２２は、第２のプレハブコンクリートブロック６の底面２３と成す角度を鈍角とする下向き傾斜面に、第３のプレハブコンクリートブロック７と突合せ接合する第４の突合せ接合面２４は、第２のプレハブコンクリートブロック６の底面２３と成す角度を鋭角とする上向き傾斜面にそれぞれ形成し、第３のプレハブコンクリートブロック７の、第２の突合せ接合面１６および第４の突合せ接合面２４とそれぞれ突合せ接合する第５，６の突合せ接合面２９，３０は、第３のプレハブコンクリートブロック７の底面３１と成す角度を鈍角とする下向き傾斜面に形成していることに特徴を有するものである。
【０００７】
このように構成された温水器用コンクリート基礎板によれば、底板２の上に第１，２，３の各プレハブコンクリートブロック５，６，７を重ね合わせる際、先ず、第１のプレハブコンクリートブロック５を底板２の上に重ね合わせてボルト８で連結し、次いで第２のプレハブコンクリートブロック６を底板２の上に重ね合わせるが、このとき第１のプレハブコンクリートブロック５の第１の上向き傾斜面とした突合せ接合面１５に、第２のプレハブコンクリートブロック６の第３の下向き傾斜面とした突合せ接合面２２を滑らせながら第２のプレハブコンクリートブロック６を底板２の上に下ろして設置することができる。次いで、第３のプレハブコンクリートブロック７はこれの第５，６の下向き傾斜面とした突合せ接合面２９，３０を、第１のプレハブコンクリートブロック５の第２の上向き傾斜面とした突合せ接合面１６と第２のプレハブコンクリートブロック６の第４の同じく上向き傾斜面とした突合せ接合面２４にそれぞれ滑らせながら第３のプレハブコンクリートブロック７を底板２の上に下ろして設置することができる。このように第２，３のプレハブコンクリートブロック６，７を順次、各下向き傾斜面とした突合せ接合面２２，２９，３０を相手側の上向き傾斜面とした突合せ接合面１５，１６，２４に滑らせながら設置することにより、重い第２，３のプレハブコンクリートブロック６，７も容易に設置することができる。
また、第１，２，３のプレハブコンクリートブロック５，６，７は互いに上向き傾斜面とした突合せ接合面１５，１６，２４と下向き傾斜面とした突合せ接合面２２，２９，３０とを突合せ接合するので、互いの密着性が保たれ、全体の直角度を容易に出すことが可能となり、設置時間の短縮化が図れる。
また、底板２と上板３の中央部に円形開口部１０，３４を設けているので、底板２および上板３を軽量化できて取り扱い易い。
【０００８】
請求項１記載の温水器用コンクリート基礎板は、請求項２に記載のように、第１のプレハブコンクリートブロック５に、円形開口部３４の円周一部を構成する円弧形切欠部１４を形成し、該円弧形切欠部１４を劣弧に形成し、第２のプレハブコンクリートブロック６に円形開口部３４の円周一部を構成する円弧形切欠部２１を形成すると共に、第３のプレハブコンクリートブロック７に円形開口部３４の円周一部を構成する円弧形切欠部２８を形成し、それら円弧形切欠部２１と円弧形切欠部２８とを合わせた円弧形切欠部３５を優弧に形成したものとすることができる。これによれば、３分割した第１，２，３のプレハブコンクリートブロック５，６，７の各重量の軽量化を略均等にすることができて個々を搬送、設置し易くなる。
【０００９】
請求項１又は２記載の温水器用コンクリート基礎板は、請求項３に記載のように、上板３の板厚を底板２の板厚よりも厚く形成したものとすることができる。これによれば、上板３を厚くする分だけ底板２を薄くできて軽量化できるため底板２が１枚である場合もその搬送、設置に有利であり、そればかりか厚い上板３にはアンカーボルトを打ち込む場合もコンクリート剥離やひび割れを防止できる。
【考案の効果】
【００１０】
本考案によれば、温水器用コンクリート基礎板の設置作業の簡易化および設置時間の短縮化が図れるという利点がある。
【考案を実施するための最良の形態】
【００１１】
以下、本考案に係る温水器用コンクリート基礎板の好適な実施例を図面に基づき説明する。
【００１２】
図１〜図５に示すように、本考案に係る温水器用コンクリート基礎板１は正方形の底板２と、この底板２の上に重ね合わせる同じ正方形の上板３とからなる。上板３の板厚は底板２の板厚の２倍程度にまで厚く形成している。底板２は１枚のプレハブコンクリートブロック４からなる。上板３は３分割されて互いに突合せ接合される第１のプレハブコンクリートブロック５、第２のプレハブコンクリートブロック６、および第３のプレハブコンクリートブロック７からなり、第１，２，３の各プレハブコンクリートブロック５，６，７は底板２のプレハブコンクリートブロック４にボルト８で連結される。
【００１３】
底板２を構成するプレハブコンクリートブロック４は、図６〜図９に示すように、鉄筋９を配置した鉄筋コンクリート板からなり、軽量化のため中央部に円形開口部１０を設け、前後側辺４ａ，４ｂと左右側辺４ｃ，４ｄの交わる四隅にそれぞれボルト８と螺合する高ナット１１をインサートしている（図８参照）。このプレハブコンクリートブロック４の左右両側辺４ｃ，４ｄに対応する底面側には取手用凹部１２を設けている（図９参照）。プレハブコンクリートブロック４の四隅の各角部４ｅは面取りしている。
【００１４】
上板３を構成する第１のプレハブコンクリートブロック５は、図１０〜図１６に示すように、鉄筋１３を配置した鉄筋コンクリート板からなり、上板３の一辺と同じ長さの後側辺５ｂと、上板３の一辺の半分の長さより短い左右両側辺５ｃ，５ｄ、及び中央部に円形開口部形成用の円弧形切欠部１４を有し、円弧形切欠部１４の両側であって第２のプレハブコンクリートブロック６及び第３のプレハブコンクリートブロック７とそれぞれ突合せ接合する第１，２の突合せ接合面１５，１６を有する前側辺５ａとで左右対称の変形四角形に形成している。第１，２の突合せ接合面１５，１６はプレハブコンクリートブロック５の底面１７と成す角度αを鋭角とする上向き傾斜面に形成している。後側辺５ｂと左右側辺５ｃ，５ｄの交わる二隅部にはそれぞれボルト８が通される連結用孔１８を設けている。後側辺５ｂと左右側辺５ｃ，５ｄの交わる各角部５ｅは面取りしている。左右側辺５ｃ，５ｄの底面側には取手用凹部１９を設けている。
【００１５】
第２のプレハブコンクリートブロック６は、図１８〜図２３に示すように、鉄筋２０を配置した鉄筋コンクリート板からなり、上板３の一辺の略半分の長さの前側辺６ａと、上板３の一辺の半分の長さより長い（第１のプレハブコンクリートブロック５の左側辺５ｃの長さと合わせて上板３の一辺の長さと等しくなる）左側辺６ｃと、後側辺６ｂと、右側辺６ｄ、及び後側辺６ｂと右側辺６ｄの交わる角部に形成した円形開口部形成用の円弧形切欠部２１とで変形四角形に形成している。
【００１６】
第２のプレハブコンクリートブロック６の後側辺６ｂには第１のプレハブコンクリートブロック５の第１の突合せ接合面１５と突合せ接合する第３の突合せ接合面２２を形成し、この突合せ接合面２２はプレハブコンクリートブロック６の底面２３と成す角度βを鈍角とする下向き傾斜面に形成している。右側辺６ｄには第３のプレハブコンクリートブロック７と突合せ接合する第４の突合せ接合面２４を形成し、この突合せ接合面２４は底面２３と成す角度γを鋭角とする上向き傾斜面に形成している。
第２のプレハブコンクリートブロック６の前側辺６ａと左側辺６ｃの交わる隅部にはそれぞれボルト８が通される連結用孔２５を設けている。前側辺６ａと左側辺６ｃの交わる角部６ｅは面取りしている。左側辺６ｃの底面側には取手用凹部２６を設けている。
【００１７】
第３のプレハブコンクリートブロック７は、図２４〜図３０に示すように、鉄筋２７を配置した鉄筋コンクリート板からなり、上板３の一辺の略半分の長さの前側辺７ａと、上板３の一辺の半分の長さより長い（第１のプレハブコンクリートブロック５の右側辺５ｄの長さと合わせて上板３の一辺の長さと等しくなる）右側辺７ｄと、後側辺７ｂと、左側辺７ｃ、及び後側辺７ｂと左側辺７ｃの交わる角部に形成した円形開口部形成用の円弧形切欠部２８とで変形四角形に形成している。
【００１８】
第３のプレハブコンクリートブロック７の後側辺７ｂには第１のプレハブコンクリートブロック５の第２の突合せ接合面１６と突合せ接合する第５の突合せ接合面２９を形成し、左側辺７ｃには第２のプレハブコンクリートブロック６の第４の突合せ接合面２４と突合せ接合する第６の突合せ接合面３０を形成し、これら第５，６の突合せ接合面２９，３０はプレハブコンクリートブロック７の底面３１と成す角度δを鈍角とする下向き傾斜面に形成している。
第３のプレハブコンクリートブロック７の前側辺と７ａと右側辺７ｄの交わる隅部にはそれぞれボルト８が通される連結用孔３２を設けている。前側辺７ａと右側辺７ｄの交わる角部７ｅは面取りしている。右側辺７ｄの底面側には取手用凹部３３を設けている。
【００１９】
図１に示すように、第１のプレハブコンクリートブロック５の円弧形切欠部１４と、第２のプレハブコンクリートブロック６の円弧形切欠部２１と、第３のプレハブコンクリートブロック７の円弧形切欠部２８とで上板３の中央部に円形開口部３４が形成され、これにより第１，２，３の各プレハブコンクリートブロック５，６，７が軽量化されている。
その際、第１のプレハブコンクリートブロック５の円弧形切欠部１４はその長さが円形開口部３４の全円周の半分より小さい劣弧に形成し、第２のプレハブコンクリートブロック６の円弧形切欠部２１と第３のプレハブコンクリートブロック７の円弧形切欠部２８とを合わせた円弧形切欠部３５は、その長さが円形開口部３４の全円周の半分より大きい優弧に形成している。これにより３分割した第１，２，３のプレハブコンクリートブロック５，６，７の各重量の軽量化をできるだけ均等にして個々を搬送、設置し易くする。
【００２０】
次に、上記構成の温水器用コンクリート基礎板１を設置する施工例を図３１（ａ），（ｂ）、図１、図３２を参照して説明する。
【００２１】
まず、温水器設置場所の地面Ｇに温水器用コンクリート基礎板１の外形より少し大きい掘削孔３６を掘り（図３２参照）、この掘削孔３６の底部に底板２を構成するプレハブコンクリートブロック４をこれの取手用凹部１２に手を掛け支えて入れる。
【００２２】
次いで、図３１（ａ）のように、上板３を構成する第１のプレハブコンクリートブロック５をこれの取手用凹部１９に手を掛け支えて底板２（プレハブコンクリートブロック４）の上に後側辺５ｂ，４ｂ同士を揃えるとともに第１のプレハブコンクリートブロック５の左右側辺５ｃ，５ｄを底板２の左右側辺４ｃ，４ｄの後ろ側に揃えるように重ね合わせ、ボルト８で底板２と連結する。
【００２３】
次いで、図３１（ｂ）のように、上板３を構成する第２のプレハブコンクリートブロック６をこれの取手用凹部２６に手を掛け支えて底板２の上に重ね合わせるが、このとき第１のプレハブコンクリートブロック５の第１の上向き傾斜面とした突合せ接合面１５に、第２のプレハブコンクリートブロック６の第３の下向き傾斜面とした突合せ接合面２２を滑らせながら底板２の上に下ろして突合せ接合面１５，２２同士を突き合わせるとともに、左側辺６ｃを底板２の左側辺４ｃの前側に揃え、かつ前側辺６ａを底板２の前側辺４ａの左側略半分に揃えるように設置し、ボルト８で底板２と連結する。
【００２４】
最後に、上板３を構成する第３のプレハブコンクリートブロック７をこれの取手用凹部３３に手を掛け支えて底板２の上に重ね合わせるが（図１参照）、このとき第３のプレハブコンクリートブロック７はこれの第５，６の下向き傾斜面とした突合せ接合面２９，３０を、第１のプレハブコンクリートブロック５の第２の上向き傾斜面とした突合せ接合面１６と第２のプレハブコンクリートブロック６の第４の同じく上向き傾斜面とした突合せ接合面２４にそれぞれ滑らせながら底板２の上に下ろして各突合せ接合面１６，２９、２４，３０同士をそれぞれ突き合わせるとともに、右側辺７ｄを底板２の右側辺４ｄの前側に揃え、かつ前側辺７ａを底板２の前側辺４ａの右側略半分に揃えるように設置し、ボルト８で底板２と連結する。
【００２５】
このように温水器用コンクリート基礎板１が設置された後には、図３２に示すように、上板３に温水器固定用のアンカーボルト３７を打ち込み、温水器３８の固定脚部３９をアンカーボルト３７に固定することにより温水器３８の設置を終える。
【００２６】
上記上板３の板厚は底板２の板厚の２倍程度にまで厚く形成している。具体的には、例えば、温水器用コンクリート基礎板１のサイズは８００×８００×厚み１５０（ｍｍ）、総重量は２１２Ｋｇとした場合、底板２は５０ｍｍ厚に設定し、上板３は１００ｍｍ厚程度にまで厚く設定する。この底板２と上板３のトータル厚（１５０ｍｍ）で汎用性の高い３７０リットル、４６０リットルおよび５６０リットルの電気温水器も十分に安定良く支えることができた。そのうえ、底板２の厚みを上板３の半分程度にまで薄くすることにより１枚の底板２も軽量化され、総重量が２１２Ｋｇの場合底板２は７１Ｋｇ程度にまで軽くできるため作業者は２人で容易に搬送、設置することができる。また上板３は底板２の２倍程度まで厚くしても、これを第１，２，３のプレハブコンクリートブロック５，６，７に３分割しているのでその個々を軽量化でき、総重量が２１２Ｋｇの場合第１のプレハブコンクリートブロック５は６３Ｋｇ、第２，３のプレハブコンクリートブロック６，７はそれぞれ３９Ｋｇにまで軽くできるため作業者１人でも容易に搬送、設置できて極めて取り扱い易くなった。またアンカーボルト３７の打ち込まれる上板３を厚くすることにより、アンカーボルト３７を必要かつ十分な打ち込み長さにまで打ち込んでもコンクリート剥離やひび割れが発生するようなことが無くなった。
【００２７】
なお、更なる耐震効果を上げるためには、図３３のように底板２には貫通孔４０を設け、この貫通孔４０に杭基礎４１を打ち込むことが好ましい。
【図面の簡単な説明】
【００２８】
【図１】本考案の一実施例を示す温水器用コンクリート基礎板の平面図である。
【図２】図１の温水器用コンクリート基礎板の左側面図である。
【図３】図１の温水器用コンクリート基礎板の右側面図である。
【図４】図１の温水器用コンクリート基礎板の正面図である。
【図５】図１におけるＡ−Ａ線断面図である。
【図６】図１の温水器用コンクリート基礎板の底板を構成するプレハブコンクリートブロックの平面図である。
【図７】図６のプレハブコンクリートブロックの右側面図である。
【図８】図６におけるＢ−Ｂ線断面図である。
【図９】図６におけるＣ−Ｃ線断面図である。
【図１０】図１の温水器用コンクリート基礎板の上板を構成する第１のプレハブコンクリートブロックの平面図である。
【図１１】図１０のプレハブコンクリートブロックの左側面図である。
【図１２】図１０のプレハブコンクリートブロックの右側面図である。
【図１３】図１０のプレハブコンクリートブロックの正面図である。
【図１４】図１１におけるＤ部の断面図である。
【図１５】図１０におけるＥ−Ｅ線断面図である。
【図１６】図１０におけるＦ−Ｆ線断面図である。
【図１７】図１の温水器用コンクリート基礎板の上板を構成する第２のプレハブコンクリートブロックの平面図である。
【図１８】図１７のプレハブコンクリートブロックの左側面図である。
【図１９】図１７のプレハブコンクリートブロックの右側面図である。
【図２０】図１７のプレハブコンクリートブロックの正面図である。
【図２１】図１８におけるＧ部の断面図である。
【図２２】図１７におけるＨ−Ｈ線断面図である。
【図２３】図１７におけるＩ−Ｉ線断面図である。
【図２４】図１の温水器用コンクリート基礎板の上板を構成する第３のプレハブコンクリートブロックの平面図である。
【図２５】図２４のプレハブコンクリートブロックの左側面図である。
【図２６】図２４のプレハブコンクリートブロックの右側面図である。
【図２７】図２４のプレハブコンクリートブロックの正面図である。
【図２８】図２７におけるＪ部の断面図である。
【図２９】図２４におけるＫ−Ｋ線断面図である。
【図３０】図２４におけるＬ−Ｌ線断面図である。
【図３１】（ａ）〜（ｄ）は温水器用コンクリート基礎板を設置する施工例の工程図である。
【図３２】温水器の設置状態を示す正面図である。
【図３３】他の実施例の温水器用コンクリート基礎板の設置状態を示す断面図である。
【図３４】従来例の温水器用コンクリート基礎板の斜視図である。
【符号の説明】
【００２９】
２  底板
３  上板
４  底板を構成するプレハブコンクリートブロック
５  第１のプレハブコンクリートブロック
６  第２のプレハブコンクリートブロック
７  第３のプレハブコンクリートブロック
８  ボルト
１０  底板の円形開口部
１４  第１のプレハブコンクリートブロックの円弧形切欠部
１５  第１の突合せ接合面
１６  第２の突合せ接合面
１７  第１のプレハブコンクリートブロックの底面
２１  第２のプレハブコンクリートブロックの円弧形切欠部
２２  第３の突合せ接合面
２３  第２のプレハブコンクリートブロックの底面
２４  第４の突合せ接合面
２８  第３のプレハブコンクリートブロックの円弧形切欠部
２９  第５の突合せ接合面
３０  第６の突合せ接合面
３１  第３のプレハブコンクリートブロックの底面
３４  上板の円形開口部
３５  第２のプレハブコンクリートブロックの円弧形切欠部と第３のプレハブコンクリ
ートブロックの円弧形切欠部とを合わせた円弧形切欠部
【図１】
0003132880.tif 000003
【図２】
0003132880.tif 000004
【図３】
0003132880.tif 000005
【図４】
0003132880.tif 000006
【図５】
0003132880.tif 000007
【図６】
0003132880.tif 000008
【図７】
0003132880.tif 000009
【図８】
0003132880.tif 000010
【図９】
0003132880.tif 000011
【図１０】
0003132880.tif 000012
【図１１】
0003132880.tif 000013
【図１２】
0003132880.tif 000014
【図１３】
0003132880.tif 000015
【図１４】
0003132880.tif 000016
【図１５】
0003132880.tif 000017
【図１６】
0003132880.tif 000018
【図１７】
0003132880.tif 000019
【図１８】
0003132880.tif 000020
【図１９】
0003132880.tif 000021
【図２０】
0003132880.tif 000022
【図２１】
0003132880.tif 000023
【図２２】
0003132880.tif 000024
【図２３】
0003132880.tif 000025
【図２４】
0003132880.tif 000026
【図２５】
0003132880.tif 000027
【図２６】
0003132880.tif 000028
【図２７】
0003132880.tif 000029
【図２８】
0003132880.tif 000030
【図２９】
0003132880.tif 000031
【図３０】
0003132880.tif 000032
【図３１】
0003132880.tif 000033
【図３２】
0003132880.tif 000034
【図３３】
0003132880.tif 000035
【図３４】
0003132880.tif 000036